(57)【要約】吸引ポンプを用いて体液を吸引するためのドレナージチューブユニットは、体液を吸引するためのドレナージチューブ（１０）及び少なくとも１つの供給（ｓｅｒｖｉｃｅ）チューブ（１１）を有し、これらチューブの各々が患者側の端部及びポンプ側の端部を持ち、ドレナージチューブ（１０）及び供給チューブ（１１）の患者側の端部は、共通の患者側連結部（３）に配置され、ドレナージチューブ（１０）及び供給チューブ（１１）のポンプ側の端部は、共通のポンプ側連結部（２）に配置されている。ドレナージチューブ（１０）の端部は、供給チューブ（１１）の端部から離れて延び、患者側の端部は、患者側連結部（３）のドレナージ路（３７）及び供給路（３５）に開口し、ポンプ側端部は、ポンプ側連結部（２）のドレナージ路（２４）及び供給路（２５）に開口している。本発明によるドレナージチューブユニットは、安価に製造することができ、簡単で安全に使用することができる。【選択図】図１
2010527661.tif 000002
【特許請求の範囲】
【請求項１】
吸引ポンプを用いて体液を吸引するためのドレナージチューブユニットであって、該チューブユニットが、前記体液を吸引するためのドレナージチューブ（１０）及び少なくとも１つの供給（ｓｅｒｖｉｃｅ）チューブ（１１）を有し、これらチューブの各々が患者側の端部及びポンプ側の端部を持ち、前記ドレナージチューブ（１０）及び前記供給チューブ（１１）の患者側の端部は、共通の患者側連結部（３）に配置され、前記ドレナージチューブ（１０）及び前記供給チューブ（１１）のポンプ側の端部は、共通のポンプ側連結部（２）に配置され、前記ポンプ側連結部（２）は、関連する吸引装置に差し込まれるように構成されているドレナージチューブユニットにおいて、
前記ドレナージチューブ（１０）の端部が、前記供給チューブ（１１）の端部から離れて延び、前記患者側の端部が、前記患者側連結部（３）のドレナージ路（３７）及び供給路（３５）に開口し、前記ポンプ側の端部が、前記ポンプ側連結部（２）のドレナージ路（２４）及び供給路（２５）に開口していることを特徴とするドレナージチューブユニット。
【請求項２】
前記ポンプ側連結部（２）及び／又は前記患者側連結部（３）が一体に形成されていることを特徴とする、請求項１に記載のドレナージチューブユニット。
【請求項３】
前記ドレナージチューブ及び供給チューブ（１０，１１）の患者側及びポンプ側の端部が、互いに平行に延び、前記連結部（２，３）に開口することを特徴とする、請求項１又は２に記載のドレナージチューブユニット。
【請求項４】
前記２つのチューブ（１０，１１）が２つの別々のシングルルーメンチューブであることを特徴とする、請求項１〜３のいずれか１項に記載のドレナージチューブユニット。
【請求項５】
前記２つのチューブ（１０，１１）が、少なくとも、１つの連結部（２，３）において、前記連結部（２，３）の同じ面で連結部に開口することを特徴とする、請求項１〜４のいずれか１項に記載のドレナージチューブユニット。
【請求項６】
前記ポンプ側連結部（２）の前記ドレナージ路（２４）が、前記ドレナージチューブ（１０）のポンプ側の端部を受け入れるためのドレナージ口、及び、ドレナージ出口（２０）を有し、このドレナージ出口（２０）が前記ドレナージ口とは異なる面に配置されていることを特徴とする、請求項１〜５のいずれか１項に記載のドレナージチューブユニット。
【請求項７】
前記ポンプ側連結部（２）が、実質的に立法形であり、前記ドレナージ出口（２０）が、前記ドレナージ口に実質的に直角に配置されていることを特徴とする、請求項６に記載のドレナージチューブユニット。
【請求項８】
前記ポンプ側連結部（２）の前記供給路（２５）が、前記供給チューブ（１１）のポンプ側の端部を受け入れるための供給口、及び、供給入口（２３）を有し、この供給入口が前記供給口とは異なる端部に配置されていることを特徴とする、請求項１〜７のいずれか１項に記載のドレナージチューブユニット。
【請求項９】
前記ポンプ側連結部（２）が、実質的に立法形であり、前記供給入口（２３）が、前記供給口に実質的に直角に配置されていることを特徴とする、請求項８に記載のドレナージチューブユニット。
【請求項１０】
前記供給入口（２３）が、前記ポンプ側連結部（２）の、前記ドレナージ出口（２０）の反対側にある面に配置されていることを特徴とする、請求項８及び９に記載のドレナージチューブユニット。
【請求項１１】
前記ポンプ側連結部（２）の前記供給路（２５）にフィルタ（６）が配置されていることを特徴とする、請求項１〜１０のいずれか１項に記載のドレナージチューブユニット。
【請求項１２】
前記ポンプ側連結部（２）が、前記吸引ポンプに形状嵌めで取り外し可能に保持することができるように形成されていることを特徴とする、請求項１〜１１のいずれか１項に記載のドレナージチューブユニット。
【請求項１３】
前記患者側連結部（３）の前記ドレナージ路（３７）及び前記供給路（３５）が、接続路（３６）を介して互いに接続されていることを特徴とする、請求項１〜１２のいずれか１項に記載のドレナージチューブユニット。
【請求項１４】
前記接続路（３６）の第１の端部が、前記ドレナージ路（３７）につながり、第２の端部が外部につながり、この第２の端部を密閉蓋（３２）で閉じることができることを特徴とする、請求項１３に記載のドレナージチューブユニット。
【請求項１５】
前記密閉蓋（３２）が、前記患者側連結部（３）に一体的に形成されていることを特徴とする、請求項１４に記載のドレナージチューブユニット。
【請求項１６】
前記患者側連結部（３）が、前記ドレナージチューブ及び供給チューブ（１０，１１）の端部を受け入れるための本体（３０）、前記本体（３０）に隣接した、円錐形で段を有する患者側ドレナージ入口（３１）を有し、このドレナージ入口（３１）が前記ドレナージチューブ（１０）の患者側の端部の口と軸方向にほぼ一直線になって延びることを特徴とする、請求項１〜１５のいずれか１項に記載のドレナージチューブユニット。
【請求項１７】
請求項１〜１６のいずれか１項に記載のドレナージチューブユニットで使用するための患者側連結部（３）において、
前記患者側連結部（３）が、患者側ドレナージ入口（３１）及びドレナージチューブ（１０）の端部を受け入れるためのポンプ側ドレナージ口を備えたドレナージ路（３７）、及び、供給チューブ（１１）を受け入れるためのポンプ側供給路（３５）を有し、
前記供給路（３５）は、前記ドレナージ路（３７）より直径が小さく、
さらに、前記ドレナージ路（３７）に前記供給路（３５）を接続する接続路（３６）を設けたことを特徴とする連結部。
【請求項１８】
前記接続路（３６）の第１の端部が前記ドレナージ路（３７）に通じ、第２の端部が外部に通じ、この第２の端部は、閉じることができるように構成され、前記連結部は射出成形によって一体に製造されることを特徴とする、請求項１７に記載の連結部。
【請求項１９】
請求項１〜１６のいずか１項に記載のドレナージチューブユニットで使用するためのポンプ側連結部において、
前記ポンプ側連結部（２）は、中でドレナージ路（２４）と供給路（２３）が延びる本体（２２）を有し、
前記ドレナージ路（２４）は、関連の吸引装置に接続するためのポンプ側ドレナージ出口（２０）、及び、ドレナージチューブ（１０）のポンプ側の端部を受け入れるための患者側ドレナージ口を有し、
前記ドレナージ出口（２０）は、前記本体（２２）の、前記ドレナージ口とは異なる面に配置されており、
前記供給路（２５）は、関連の吸引装置に接続するためのポンプ側供給入口（２３）、及び、前記供給チューブ（１１）の前記ポンプ側の端部を受け入れるための供給口を有し、
前記供給入口（２３）は、前記本体（２２）の、前記供給口とは異なる面に
配置されており、
前記ポンプ側連結部（２）は、前記吸引装置に差し込まれるように形成されていることを特徴とする連結部。
【請求項２０】
前記本体（２２）は、実質的に立方体であり、前記ドレナージ出口（２０）は、前記ドレナージ口に実質的に直角に配置され、前記供給入口（２３）は、前記供給口に実質的に直角に配置されていることを特徴とする、請求項１９に記載の連結部。
【請求項２１】
前記ドレナージ出口（２０）は、前記供給入口（２３）とは反対側の面に配置されていることを特徴とする、請求項２０に記載の連結部。
【請求項２２】
吸引ポンプを用いて体液を吸引するためのドレナージチューブユニットであって、該チューブユニットが、前記体液を吸引するためのドレナージチューブ（１０）及び少なくとも１つの供給チューブ（１１）を有し、これらチューブの各々が患者側の端部及びポンプ側の端部を持ち、前記ドレナージチューブ（１０）及び前記供給チューブ（１１）の患者側の端部は、共通の患者側連結部（３）に配置されているドレナージチューブユニットにおいて、
前記ドレナージチューブ（１０）の患者側の端部は、前記供給チューブ（１１）の患者側の端部から離れて延び、これら患者側の端部は、前記患者側連結部（３）のドレナージ路及び供給路（３７，３５）に開口し、前記供給路（３５）は前記ドレナージ路（３７）より直径が小さく、前記２つの路（３７，３５）は接続路（３６）を介して互いに接続されていることを特徴とするドレナージチューブユニット。
【発明の詳細な説明】
【技術分野】
【０００１】
本発明は、特許請求項１及び２２のプリアンブルに記載のドレナージチューブユニット、及び、特許請求項１７及び１９のプリアンブルに記載の連結部に関する。
【背景技術】
【０００２】
ドレナージポンプシステムは、医療分野において、例えば外科的処置中又は後の体液を吸引するため、及び傷口からの排液、胸部排液又は脂肪吸引で使用される。これらのドレナージポンプシステムは通常、吸引ポンプ、１以上の流体収集容器、及び、患者と流体収集容器の間をつなぐドレナージチューブを有する。流体収集容器は、ドレナージポンプの筐体に取り外し可能に固定するか、又は、真空チューブを介してポンプに接続することができる。
【０００３】
吸引ポンプ又は真空ポンプによって流体収集容器内に負圧が起こり、患者の腔からの流体又は分泌物が、ドレナージチューブを通って収集容器に吸引され、容器内に集められる。収集容器のポンプ側の出口に配置されたフィルタは、吸引ポンプが、吸引した流体によって汚染されるのを防ぐ。剛性のカバーとそれに固定した可撓性のバッグを備えたこの種の流体収集容器は、例えば、特許文献１及び特許文献２から公知である。
【０００４】
特許文献３は、ドレナージカテーテル、及びカテーテルを取り囲む気密スリーブを備えたドレナージ管を開示している。カテーテルはその両端で連結部につながれている。患者側の連結部にはガス分析器用のコネクタが設けられている。
【０００５】
ドレナージ管に加えて、ポンプから患者まで供給管（ｓｅｒｖｉｃｅ  ｌｉｎｅ）を通すことも公知である。例えば、特許文献４では、ダブルルーメンチューブを使用しており、1つのルーメンはドレナージ管を形成し、２つ目のルーメンは患者側の端部でドレナージ管に開口する空気路となっている。このようにして、空気又はガスを、吸引されるべき患者の腔に供給し、腔を洗浄することができる。このルーメンは、さらに、流量差又は圧力差を測定するための測定管として使用することができる。このようにすると、ドレナージ治療を最適にモニターでき、自動的に制御できる。
【０００６】
特許文献５では、吸引した凝血塊又は組織による管の閉塞を避ける又は排除するために、ドレナージチューブの患者側の端部に接続した供給管を、ドレナージ管を洗い流すために使用している。
【０００７】
特許文献６は、２つのチューブを有するドレナージチューブユニットを開示し、ドレナージチューブユニットが、ｙ字形連結部をポンプ側の端部に有している。患者側の端部で、この２つのチューブは、２つの独立した連結部に開口する。
【０００８】
特許文献７は、ドレナージ管と空気供給管を含むダブルルーメンチューブを有するドレナージチューブユニットを開示する。このチューブは、患者側の端部に、２つの管を互いに接続する内部貫通孔を有する。このチューブの端部には、ポンプ側の連結部と患者側の連結部が設けられている。これらの連結部にはまた、さらなる接続の可能性がある。
【０００９】
特許文献８は、スリーブで囲まれ、２つの端部に連結部が設けられた、マルチルーメンドレナージチューブを開示する。
【００１０】
これらのコネクタは、それらの連結部によって、誤った操作を避けるが、特に複数の個別部分から成るために、比較的複雑な構造を有する。さらに、それらはまた、ダブルルーメンカテーテルチューブ、特に、特別に設計された患者側の端部を有するチューブとしか使用することができない。しかしながら、これらのドレナージチューブユニットは、二度以上使用することができず、一度使用した後は使い捨て部品として廃棄されるため、できるだけ安価でなければならない。
【先行技術文献】
【特許文献】
【００１１】
【特許文献１】ＥＰ０８６１６６８
【特許文献２】ＷＯ０１／２４８４６
【特許文献３】ＥＰ０４６６３３４
【特許文献４】ＵＳ５７３８６５６
【特許文献５】ＷＯ０５／０６１０２５
【特許文献６】ＵＳ６６２６８２７
【特許文献７】ＵＳ５０２９５８０
【特許文献８】ＵＳ５１３４９９６
【発明の概要】
【発明が解決しようとする課題】
【００１２】
本発明の目的は、安全に取り扱うことができ、安価に製造できるドレナージチューブユニットを提供することである。
【課題を解決するための手段】
【００１３】
この目的は、特許請求項１の特徴を有するドレナージチューブユニットにより達成される。
【００１４】
吸引ポンプを用いて体液を吸引するための、本発明によるドレナージチューブユニットは、体液を吸引するためのドレナージチューブ及び少なくとも１つの供給（ｓｅｒｖｉｃｅ）チューブを有し、これらチューブの各々が患者側の端部とポンプ側の端部を持ち、ドレナージチューブ及び供給チューブの患者側の端部は、共通の患者側連結部に配置され、ドレナージチューブ及び供給チューブのポンプ側の端部は、共通のポンプ側連結部に配置されている。ポンプ側連結部は、関連する吸引装置に差し込まれるように構成されている。ドレナージチューブの端部は、供給チューブの端部から離れて延び、患者側の端部は、患者側連結部のドレナージ路及び供給路に開口し、ポンプ側端部は、ポンプ側連結部のドレナージ路及び供給路に開口している。
【００１５】
本発明によると、市販の安価なシングルルーメンチューブを使用することができる。チューブは、必ずしも互いに並ぶ必要はないが、連結部に差し込むことができる。この解決法の利点は、チューブの端部を連結部にその異なる面で挿入することができるため、連結部を任意の所望の方法で構成し、ポンプや患者側の状況に合わせることができる。さらに、チューブは、連結部間の全距離又はかなりの距離に沿って互いに平行に延びることができる、又は、互いに全く平行しないで延びてもよい。
【００１６】
２つの端部コネクタ又は連結部を有する既に組み立てたチューブユニットを提供し、両端部に連結部を設けているため、関連の吸引装置に、チューブユニットを正確に挿入することを確実にする。
【００１７】
これらの連結部は、好ましくは、射出成形法によりプラスチックから安価に製造され、特に、一体に形成される。
【００１８】
特に、接続路が片側で外部に開いており、事後初めて閉じられる場合、患者側の連結部は、射出成形法により一体に作ることができる。
【００１９】
ストッパによって閉鎖される場合、ストッパを、連結部の残りの部分と一体に射出成形することも有利である。従って、連結部を射出成形金型から取り出す前に、ストッパを、接続路の開口部に自動的に押し込むことができる。
【００２０】
本発明のさらなる目的は、安価に製造可能なドレナージチューブユニットを開発することである。
【００２１】
この目的は、特許請求項２２の特徴を有するドレナージチューブユニットにより達成される。
【００２２】
吸引ポンプを用いて体液を吸引するための、本発明によるドレナージチューブユニットは、体液を吸引するためのドレナージチューブ及び少なくとも１つの供給（ｓｅｒｖｉｃｅ）チューブを有し、これらチューブの各々が患者側の端部とポンプ側の端部を持ち、ドレナージチューブ及び供給チューブの患者側の端部は、共通の患者側連結部に配置される。ドレナージチューブの患者側の端部は、供給チューブの患者側の端部から離れて延び、これらの患者側の端部は、患者側の連結部のドレナージ路又は供給路に開口しており、供給路は、ドレナージ路より直径が小さく、これら２つの路は、接続路を介して互いに接続されている。
【００２３】
２つの管の間の接続部が患者側の連結部にあり、もはやチューブ自体にはないため、特にシリコン又はＰＶＣからなる、単純な（ｓｉｍｐｌｅ）、市販のシングルルーメンチューブを使用することができる。この連結部はまた、チューブシステムにポンプ側連結部がなくても使用することができる。
【００２４】
全ての実施形態において、２つの管の代わりに、複数の管を使用することもでき、連結部のそれぞれに１つだけ供給路があるのではなく、複数の供給路があってもよく、これらの路の少なくとも１つが、接続路を介して患者側でドレナージ路に接続されていてもよい。
【００２５】
他の有利な実施形態は、従属特許請求項から明らかとなる。
【図面の簡単な説明】
【００２６】
【図１】図１は、本発明のドレナージチューブユニットの斜視図である。
【図２】図２は、図１のドレナージチューブユニットを長手方向に切断した時の斜視図である。
【図３】図３は、図１のドレナージチューブユニットの長手方向断面図である。
【図４】図４は、本発明のドレナージチューブユニットのポンプ側連結部を有するドレナージポンプ装置の斜視図である。
【発明を実施するための最良の形態】
【００２７】
以下、添付の図に示した好ましい例示の実施形態に基づき、本発明を説明する。
図１は、冒頭に記載したドレナージ吸引装置で使用される本発明のドレナージチューブユニットを示す。このユニットは、主に、２以上のチューブ１０，１１を有するチューブシステム１、ポンプ側連結部２、及び、患者側連結部３で構成される。
【００２８】
チューブ１０，１１は、好ましくは、互いに独立したシングルルーメンチューブである。それらは好ましくはシリコン又はＰＶＣからなる。チューブは、それらの端部では互いから離れて延び、この両端部の間では、互いと接着接合したり、互いと溶接したり、又はそれ以外の方法で結合することができる。図には、チューブの全長を示さず、中断してある。
【００２９】
２つのチューブは、好ましくは、異なる直径を有する。より太いチューブ１０は体液を吸引するための負圧及びドレナージ管を形成する。より細いチューブ１１は、例えば、上述の又は同様の圧力測定及び／又はドレナージ管の洗浄を可能とする供給管を形成する。供給管のポンプ側の端部の吸引ユニットが、吸引処置中の負圧測定のために閉鎖されるバルブを有する場合、両方のチューブは時間的に交互ではあるが一緒に使用することができる。しかしながら、洗浄モードでは、バルブは開いている。供給管はまた、他の公知の方法で使用することもできる。供給機能は、ドレナージ機能をサポートするために役立ち、例えば、先行技術による前述の機能を含むことができる。
【００３０】
２つのチューブ１０，１１は、好ましくは、ほぼ全長に沿って互いに平行に延び、特にそれらの端部は、平行であるが、互いから距離をおいて、それぞれの連結部又は連結要素２，３へと開口する。距離をおいてとは、それらが互いに寄り添う（ｂｅａｒ  ｏｎ）ことができるか、又は、それらの間に空間をあけておけることを意味する。それらは、少なくとも、２つの連結部の１つの、連結部の同じ面で内側へ突き出す。両端部は、連結部２，３に挿入され、その中で接着接続、又はその他の方法で固定される。
【００３１】
以下、まず、関連の吸引装置に差し込まれる端部コネクタとして形成されているポンプ側連結部２について説明する。しかしながら、本明細書におけるポンプ側とは、単に、患者から遠く離れていることを意味する。連結部は、ポンプ筐体内ではなく、流体収集容器内、又は患者から遠く離れた他のユニット内に配置することもできる。従って、以下及び特許請求項においてポンプ側という言葉を使用する場合、これは容器側のことをも意味する。吸引装置という言葉が以下及び特許請求項において使用される場合、これは、特に、ポンプ筐体又は流体収集容器を意味する。
【００３２】
ポンプ側連結部２は、好ましくは、射出成形によりプラスチックから製造され、好ましくは一体に形成される。
【００３３】
ポンプ側連結部は、実質的に立方形の本体２を有し、この場合、本体２には周辺フランジ２１が設けられている。図４からわかるように、このフランジ２１を用いて、連結部２をポンプ筐体の対応する凹所に形状嵌めで挿入し、その中に保持することができる。
【００３４】
図２，３からわかるように、連結部２には２つの路２４，２５があり、路の、互いに平行であるが互いから距離をおいて延びる開口部に、ドレナージ及び供給チューブ１０，１１のポンプ側の端部が挿入される。
【００３５】
フィルタ６は、ポンプ側供給路２５に配置される。例えば、これは、疎水性フィルタ及び／又は細菌ろ過器である。供給路２５はその後狭まり、開口部に対し直角に曲がってそれる。供給路は、本体２２からコネクタ部の形で突出する供給入口２３で終わる。この供給入口２３は、吸引装置の供給ユニットに接続するために使用される。
【００３６】
ポンプ側のドレナージ路２４もまた、その開口部に対し直角に曲がってそれ、同様に、本体２２から突出するコネクタ部、つまりポンプ側のドレナージ出口２０で終わる。この出口２０は、流体収集容器に接続するために使用される。出口２０はここでは、チューブ１０の開口部に直角に配置されているが、本体２２の、開口部面とは異なる他の面に配置することもできる。同じことが、供給チューブ１０の開口部に関する供給入口２３に対しても適用される。
【００３７】
吸引された流体は、ドレナージ出口２０を通って容器へと向かう。確実に漏れないようにするため、本体２２のドレナージ出口２０の周囲に、周辺溝を設けることができる。周辺溝には密閉リングを設けることができる。ドレナージ出口２０は、好ましくは、本体２２の、供給入口２３のある面と反対側の面に配置される。
【００３８】
患者側連結部３も同様に、好ましくは、射出成形によりプラスチックから製造され、好ましくは一体に形成される。
【００３９】
患者側連結部は、ドレナージチューブ１０と供給チューブ１１の患者側端部用の２つの口を持つ本体３０を有し、２つの口は互いに平行であるが、互いから距離をおいて延びる。この本体３０に一体に形成された患者側のドレナージ入口３１は円錐形であり、段が設けられており、その自由端に向かって狭まり、クリスマスツリー状の断面を有する。ドレナージ入口３１は、好ましくは、ドレナージチューブ１０の患者側端部の口と、軸方向にほぼ一直線に並んで延びるので、連結部の内部の患者側ドレナージ路３７はほぼ直線的に延びる。
【００４０】
供給管１１の患者側端部は、好ましくはドレナージ路３７より直径が小さい患者側供給路３５の口に差し込まれる。路３７は、他の前述の路全てと同様に、チューブ１１用の当接面として機能する段を有する。上述の両方の口は、これらの段まで延びていると理解される。
【００４１】
供給路２３は、本体３０で終わり、そこで、供給路２３に好ましくは垂直な接続路３６に通じる。接続路３６は、供給路３５と同じか、又は好ましくはより小さい直径を有する。接続路の一端は、ドレナージ路３７で直角に曲がっている部分で終わり、好ましくは口への段のところで終わる。他端は、外部への開口部３４を形成し、開口部３４は、好ましくは本体３０内の口に垂直に配置される。
【００４２】
この開口部３４は、密閉部３２、この場合ストッパにより閉鎖される。図では、まだ開いた状態であるが、好ましくはこの構成において既に閉じられている。実際には、好ましくは、射出成形機から取り出されるとき、つまり、チューブ１０，１１を固定するかなり前に、既に閉じられている。
【００４３】
密閉部３２は好ましくは連結部３の残りの部分と一体に製造され、図より、本体３０にバンド３３を介してつながれている。この開口部により、この連結部の一体製造が可能となる。
【００４４】
図４は、好ましくは本発明のドレナージチューブユニットと一緒に使用されるドレナージポンプ装置を示す。ドレナージポンプ装置は、医療分野において、例えば外科的処置中又は後の体液を吸引するため、及び傷口からの排液、胸部排液又は脂肪吸引のために役立つ。
【００４５】
しかしながら、チューブユニットはまた、他のドレナージポンプ装置とも使用できる。流体収集容器及びポンプユニットは、さらなる介在管なしに、ポンプ側連結部２を用いて互いに接続可能であることが好ましいが、不可欠ではない。
【００４６】
ここに示したドレナージポンプ装置は、真空又は吸引ポンプ、及び、ポンプを操作し、供給チューブにより得た測定値を評価するための電子機器を収容するポンプ筐体４を有する。
【００４７】
ポンプ筐体４は、好ましくは、前壁４０、後壁４１、取っ手４２及び足４６を有する立方形である。筐体４の上面には、好ましくはディスプレイを備えた、ポンプを操作するための操作パネル４５がある。
【００４８】
前壁４０と後壁４１は、１つの側壁で突き出ており、流体収集容器５用の凹所を形成する。この流体収集容器５は、好ましくは、二つのハーフ容器５０，５１から成り、透明プラスチックでできている。
【００４９】
容器５は、ポンプ筐体４に取り外し可能に固定でき、好ましくは旋回してこの場所に入りこの場所で係合する。このために、ポンプ筐体４の前壁４０と後壁４１は、容器５の上部及び下部固定ピン５２が係合する上部及び下部スライドガイドを有する。図では上部ピンが1つだけ見られる。容器５の位置が斜めであることからわかるように、下部ピンは既に係合している。
【００５０】
容器５は、筐体４の方に向いているフック５３を有し、フックに、筐体４のフリップスイッチ（ｆｌｉｐ  ｓｗｉｔｃｈ）４４の対応する突出部が係合する。このようにして、容器５は筐体４に取り外し可能に固定される。
【００５１】
筐体４には、容器５に面して、吸引コネクタ４７が設けられている。これは、ノズルの形をしており、容器５の対応する開口部に係合する。このようにして、吸引ポンプを用いて容器５内に負圧を発生させることができる。
【００５２】
筐体４はまた、実質的に立方形の凹所を有し、この凹所に、本発明のドレナージチューブユニットのポンプ側連結部２が挿入でき、その中に形状嵌めで取り外し可能に保持される。連結部２の容器側のドレナージ出口２０は、容器５の方に向いている。この出口を通って、吸引された流体が容器５へと流れる。
【００５３】
それに直角に、２つのチューブ１０，１１を有するチューブシステム１がポンプ側の連結部２に開口する。この例でのチューブシステム１は、筐体４に沿って、取っ手４２上に配置された溝４２０を通って保持されている。
【００５４】
ポンプ筐体４内に突出し、対応する制御及び／又は評価ユニットに接続される供給入口２３は見えていない。
【００５５】
本発明によるドレナージチューブユニットは、安価に製造でき、簡単で安全に使用することができる。
【符号の説明】
【００５６】
１        チューブシステム
１０      ドレナージチューブ
１１      供給チューブ
２        ポンプ側連結部
２０      ポンプ側ドレナージ出口
２１      フランジ
２２      本体
２３      ポンプ側供給入口
２４      ポンプ側ドレナージ路
２５      ポンプ側供給路
３        患者側連結部
３０      本体
３１      患者側ドレナージ入口
３２      密閉蓋
３３      バンド
３４      開口部
３５      患者側供給路
３６      接続路
３７      患者側ドレナージ路
４        ポンプ筐体
４０      前壁
４１      後壁
４２      取っ手
４２０    溝
４３      スライドガイド
４４      フリップスイッチ
４５      操作パネル
４６      足
４７      吸引コネクタ
５        流体収集容器
５０      第一のハーフ容器
５１      第二のハーフ容器
５２      固定ピン
５３      フック
６        フィルタ
７        密閉リング
【図１】
2010527661.tif 000003
【図２】
2010527661.tif 000004
【図３】
2010527661.tif 000005
【図４】
2010527661.tif 000006
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
吸引ポンプを用いて体液を吸引するためのドレナージチューブユニットであって、該チューブユニットが、前記体液を吸引するためのドレナージチューブ（１０）及び少なくとも１つの供給（ｓｅｒｖｉｃｅ）チューブ（１１）を有し、これらチューブの各々が患者側の端部及びポンプ側の端部を持ち、前記ドレナージチューブ（１０）及び前記供給チューブ（１１）の患者側の端部は、共通の患者側連結部（３）に配置され、前記ドレナージチューブ（１０）及び前記供給チューブ（１１）のポンプ側の端部は、共通のポンプ側連結部（２）に配置され、前記ポンプ側連結部（２）は、関連する吸引装置に差し込まれるように構成されているドレナージチューブユニットにおいて、
前記ドレナージチューブ（１０）の端部が、前記供給チューブ（１１）の端部から離れて延び、前記患者側の端部が、前記患者側連結部（３）のドレナージ路（３７）及び供給路（３５）に開口し、前記ポンプ側の端部が、前記ポンプ側連結部（２）のドレナージ路（２４）及び供給路（２５）に開口していることを特徴とするドレナージチューブユニット。
【請求項２】
前記ポンプ側連結部（２）及び／又は前記患者側連結部（３）が一体に形成されていることを特徴とする、請求項１に記載のドレナージチューブユニット。
【請求項３】
前記ドレナージチューブ及び供給チューブ（１０，１１）の患者側及びポンプ側の端部が、互いに平行に延び、前記連結部（２，３）に開口することを特徴とする、請求項１又は２に記載のドレナージチューブユニット。
【請求項４】
前記２つのチューブ（１０，１１）が２つの別々のシングルルーメンチューブであることを特徴とする、請求項１〜３のいずれか１項に記載のドレナージチューブユニット。
【請求項５】
前記２つのチューブ（１０，１１）が、少なくとも、１つの連結部（２，３）において、前記連結部（２，３）の同じ面で連結部に開口することを特徴とする、請求項１〜４のいずれか１項に記載のドレナージチューブユニット。
【請求項６】
前記ポンプ側連結部（２）の前記ドレナージ路（２４）が、前記ドレナージチューブ（１０）のポンプ側の端部を受け入れるためのドレナージ口、及び、ドレナージ出口（２０）を有し、このドレナージ出口（２０）が前記ドレナージ口とは異なる面に配置されていることを特徴とする、請求項１〜５のいずれか１項に記載のドレナージチューブユニット。
【請求項７】
前記ポンプ側連結部（２）が、実質的に立法形であり、前記ドレナージ出口（２０）が、前記ドレナージ口に実質的に直角に配置されていることを特徴とする、請求項６に記載のドレナージチューブユニット。
【請求項８】
前記ポンプ側連結部（２）の前記供給路（２５）が、前記供給チューブ（１１）のポンプ側端部を受け入れるための供給口、及び、供給入口（２３）を有し、この供給入口が前記供給口とは異なる端部に配置されていることを特徴とする、請求項１〜７のいずれか１項に記載のドレナージチューブユニット。
【請求項９】
前記ポンプ側連結部（２）が、実質的に立法形であり、前記供給入口（２３）が、前記供給口に実質的に直角に配置されていることを特徴とする、請求項８に記載のドレナージチューブユニット。
【請求項１０】
前記供給入口（２３）が、前記ポンプ側連結部（２）の、前記ドレナージ出口（２０）の反対側にある面に配置されていることを特徴とする、請求項８及び９に記載のドレナージチューブユニット。
【請求項１１】
前記ポンプ側連結部（２）の前記供給路（２５）にフィルタ（６）が配置されていることを特徴とする、請求項１〜１０のいずれか１項に記載のドレナージチューブユニット。
【請求項１２】
前記ポンプ側連結部（２）が、前記吸引ポンプに形状嵌めで取り外し可能に保持することができるように形成されていることを特徴とする、請求項１〜１１のいずれか１項に記載のドレナージチューブユニット。
【請求項１３】
前記患者側連結部（３）の前記ドレナージ路（３７）及び前記供給路（３５）が、接続路（３６）を介して互いに接続されていることを特徴とする、請求項１〜１２のいずれか１項に記載のドレナージチューブユニット。
【請求項１４】
前記接続路（３６）の第１の端部が、前記ドレナージ路（３７）につながり、第２の端部が外側につながり、この第２の端部を密閉蓋（３２）で閉じることができることを特徴とする、請求項１３に記載のドレナージチューブユニット。
【請求項１５】
前記密閉蓋（３２）が、前記患者側連結部（３）に一体的に形成されていることを特徴とする、請求項１４に記載のドレナージチューブユニット。
【請求項１６】
前記患者側連結部（３）が、前記ドレナージチューブ及び供給チューブ（１０，１１）の端部を受け入れるための本体（３０）、前記本体（３０）に隣接した、円錐形で段を有する患者側ドレナージ入口（３１）を有し、このドレナージ入口（３１）が前記ドレナージチューブ（１０）の患者側の端部の口と軸方向にほぼ一直線になって延びることを特徴とする、請求項１〜１５のいずれか１項に記載のドレナージチューブユニット。
【請求項１７】
請求項１〜１６のいずれか１項に記載のドレナージチューブユニットで使用するための患者側連結部（３）において、
前記患者側連結部（３）が、患者側ドレナージ入口（３１）及びドレナージチューブ（１０）の端部を受け入れるためのポンプ側ドレナージ口を備えたドレナージ路（３７）、及び、供給チューブ（１１）を受け入れるためのポンプ側供給路（３５）を有し、
前記供給路（３５）は、前記ドレナージ路（３７）より直径が小さく、
さらに、前記ドレナージ路（３７）に前記供給路（３５）を接続する接続路（３６）を設け、
前記接続路（３６）の第１の端部が前記ドレナージ路（３７）に通じ、第２の端部が外側に通じ、この第２の端部は、閉じることができるように構成され、前記連結部は射出成形によって一体に製造されることを特徴とする連結部。
【請求項１８】
請求項１〜１６のいずか１項に記載のドレナージチューブユニットで使用するためのポンプ側連結部において、
前記ポンプ側連結部（２）は、中でドレナージ路（２４）と供給路（２３）が延びる本体（２２）を有し、
前記ドレナージ路（２４）は、関連の吸引装置に接続するためのポンプ側ドレナージ出口（２０）、及び、ドレナージチューブ（１０）のポンプ側の端部を受け入れるための患者側ドレナージ口を有し、
前記ドレナージ出口（２０）は、前記本体（２２）の、前記ドレナージ口とは異なる面に配置されており、
前記供給路（２５）は、関連の吸引装置に接続するためのポンプ側供給入口（２３）、及び、前記供給チューブ（１１）の前記ポンプ側の端部を受け入れるための供給口を有し、
前記供給入口（２３）は、前記本体（２２）の、前記供給口とは異なる面に
配置されており、
前記ポンプ側連結部（２）は、前記吸引装置に差し込まれるように形成されていることを特徴とする連結部。
【請求項１９】
前記本体（２２）は、実質的に立方体であり、前記ドレナージ出口（２０）は、前記ドレナージ口に実質的に直角に配置され、前記供給入口（２３）は、前記供給口に実質的に直角に配置されていることを特徴とする、請求項１８に記載の連結部。
【請求項２０】
前記ドレナージ出口（２０）は、前記供給入口（２３）とは反対側の面に配置されていることを特徴とする、請求項１９に記載の連結部。
【請求項２１】
吸引ポンプを用いて体液を吸引するためのドレナージチューブユニットであって、該チューブユニットが、前記体液を吸引するためのドレナージチューブ（１０）及び少なくとも１つの供給チューブ（１１）を有し、これらチューブの各々が患者側の端部及びポンプ側の端部を持ち、前記ドレナージチューブ（１０）及び前記供給チューブ（１１）の患者側の端部は、共通の患者側連結部（３）に配置されているドレナージチューブユニットにおいて、
前記ドレナージチューブ（１０）の患者側の端部は、前記供給チューブ（１１）の患者側の端部から離れて延び、これら患者側の端部は、前記患者側連結部（３）のドレナージ路及び供給路（３７，３５）に開口し、前記供給路（３５）は、前記ドレナージ路（３７）より直径が小さく、前記２つの路（３７，３５）は接続路（３６）を介して互いに接続されていることを特徴とするドレナージチューブユニット。
【手続補正２】
【補正対象書類名】明細書
【補正対象項目名】０００１
【補正方法】変更
【補正の内容】
【０００１】
本発明は、特許請求項１及び２１のプリアンブルに記載のドレナージチューブユニット、及び、特許請求項１７及び１８のプリアンブルに記載の連結部に関する。
【手続補正３】
【補正対象書類名】明細書
【補正対象項目名】００２１
【補正方法】変更
【補正の内容】
【００２１】
この目的は、特許請求項２１の特徴を有するドレナージチューブユニットにより達成される。
【国際調査報告】
2010527661.tif 000007
2010527661.tif 000008
2010527661.tif 000009
2010527661.tif 000010
2010527661.tif 000011
2010527661.tif 000012